(57)【要約】【課題】貯留タンクの下層から水熱交換器に流入される水の温度が所定温度（例えば３０℃程度）以上にならないように，前記貯留タンクの下層に貯留されている水を予め冷却しておくことにより，前記水熱交換器における冷媒と水との熱交換効率の低下を防止することのできるヒートポンプ式給湯機を提供すること。【解決手段】貯留タンク３１の下層から水熱交換器３２に流入される水の温度を水温センサ８１や８２で検出し，その検出された水の温度が所定温度（例えば３０℃）以上であることを条件に，前記貯留タンク３１の下層に貯留された水を前記水熱交換器３２における冷媒との間の熱交換によって冷却して前記貯留タンク３１の下層に還流させるように構成される。【選択図】図３
2007232288.tif 000002
【特許請求の範囲】
【請求項１】
温度の高い水との間の熱交換効率よりも温度の低い水との間の熱交換効率の方が高い第一の冷媒が少なくとも第一の圧縮機及び第一の膨張器を経て循環される第一のヒートポンプサイクルと，前記第一の冷媒と異なる特性を持つ第二の冷媒が少なくとも第二の圧縮機及び第二の膨張器を経て循環される第二のヒートポンプサイクルと，前記第一の冷媒及び／又は前記第二の冷媒と水との間で熱交換を行う水熱交換器と，前記水熱交換器において前記第一の冷媒及び／又は前記第二の冷媒との間で熱交換される水が貯留される貯留タンクと，前記貯留タンクの下層に貯留された水を前記水熱交換器における前記第一の冷媒との間の熱交換によって加熱して前記貯留タンクの上層に還流させるタンク水加熱手段と，を備えてなるヒートポンプ式給湯機であって，
前記貯留タンクの下層から前記水熱交換器に流入される水の温度を検出するタンク水温検出手段と，
前記タンク水温検出手段により検出された水の温度が所定温度以上であることを条件に，前記貯留タンクの下層に貯留された水を前記水熱交換器における前記第二の冷媒との間の熱交換によって冷却して前記貯留タンクの下層に還流させるタンク水冷却手段と，
を備えてなることを特徴とするヒートポンプ式給湯機。
【請求項２】
前記第一の冷媒が炭酸ガス冷媒であって，前記第二の冷媒がＨＦＣ冷媒である請求項１に記載のヒートポンプ式給湯機。
【請求項３】
前記タンク水温検出手段が，前記貯留タンク内及び／又は前記貯留タンクから前記水熱交換器への水の流入経路上に配設されてなる請求項１又は２のいずれかに記載のヒートポンプ式給湯機。
【請求項４】
前記第二の冷媒と室内空気との間で熱交換を行う室内空気熱交換器と，前記第二の冷媒と室外空気との間で熱交換を行う室外空気熱交換器と，前記第二のヒートポンプサイクルにおける前記第二の冷媒の循環経路を切り換える循環経路切換手段と，を更に備えてなり，
前記タンク水冷却手段が，前記循環方向切換手段を制御することにより，前記第二の冷媒を，前記第二の圧縮機，前記室内空気熱交換器，前記第二の膨張器，前記水熱交換器の順，又は，前記第二の圧縮機，前記室外空気熱交換器，前記第二の膨張器，前記水熱交換器の順に循環させるものである請求項１〜３のいずれかに記載のヒートポンプ式給湯機。
【請求項５】
前記貯留タンクに貯留された温水を熱媒体として用いる加熱サイクルを更に備えてなる請求項１〜４のいずれかに記載のヒートポンプ式給湯機。
【発明の詳細な説明】
【技術分野】
【０００１】
本発明は，圧縮機や膨張器などが設けられたヒートポンプサイクル内に循環する冷媒との熱交換によって水を加熱して給湯するヒートポンプ式給湯機に関し，特に，二つのヒートポンプサイクルを具備するヒートポンプ式給湯機に関するものである。
【背景技術】
【０００２】
従来から，圧縮機や膨張器などが設けられたヒートポンプサイクル内に循環する冷媒との熱交換によって水を加熱して給湯するヒートポンプ式給湯機が周知である。前記冷媒は，例えば炭酸ガス冷媒やＨＦＣ冷媒などである。例えば特許文献１には，ＣＯ2冷媒（炭酸ガス冷媒の一例）が用いられたヒートポンプサイクル（以下「ＣＯ2サイクル」という）と，Ｒ４１０Ａ冷媒（ＨＦＣ冷媒の一例）が用いられたヒートポンプサイクル（以下「Ｒ４１０Ａサイクル」という）とを併せ持つヒートポンプ式給湯システムが示されている。前記ヒートポンプ式給湯システムでは，高温の温水が必要な場合にＣＯ2サイクルが用いられ，低温の温水でよい場合にはＲ４１０Ａサイクルが用いられて水が加熱される。
【０００３】
ところで，前記炭酸ガス冷媒は，その冷媒の特性として水を高温（例えば９０℃程度）まで加熱することができるため，一般に，９０℃程度の高温の温水を貯留タンクに貯湯する貯湯運転に用いられる。なお，前記貯留タンクの上層には６０〜９０℃程度の高温の水が貯留され，該貯留タンクの下層には前記高温の水が冷まされた３０〜５０℃程度の水（以下「中温水」という）や水道などから供給された１５℃程度の水が貯留される。そして，前記貯湯運転では，前記貯留タンクの下層から供給された水が，前記炭酸ガス冷媒と水との間で熱交換を行う水熱交換器で加熱された後，該貯留タンクの上層に還流される。
【特許文献１】特開２００５−８３５８５号公報
【発明の開示】
【発明が解決しようとする課題】
【０００４】
しかしながら，前記炭酸ガス冷媒は，１５℃程度の低温の水との熱交換効率に比べて，３０〜５０℃程度の中温水との熱交換効率の方が低いという特性を有する。そのため，前記炭酸ガス冷媒が循環されるヒートポンプサイクルを用いて水を加熱するときに，その水の温度が３０〜５０℃程度である場合には，１５℃程度の水を加熱する場合に比べて当該ヒートポンプ式給湯機のエネルギ消費効率が低下するという問題が生じる。
従って，本発明は上記事情に鑑みてなされたものであり，その目的とするところは，前記貯留タンクの下層から前記水熱交換器に流入される水の温度が所定温度（例えば３０℃程度）以上にならないように，前記貯留タンクの下層に貯留されている水を予め冷却しておくことにより，前記水熱交換器における冷媒と水との熱交換効率の低下を防止することのできるヒートポンプ式給湯機を提供することにある。
【課題を解決するための手段】
【０００５】
上記目的を達成するために本発明は，温度の高い水との間の熱交換効率よりも温度の低い水との間の熱交換効率の方が高い第一の冷媒が少なくとも第一の圧縮機及び第一の膨張器を経て循環される第一のヒートポンプサイクルと，前記第一の冷媒と異なる特性を持つ第二の冷媒が少なくとも第二の圧縮機及び第二の膨張器を経て循環される第二のヒートポンプサイクルと，前記第一の冷媒及び／又は前記第二の冷媒と水との間で熱交換を行う水熱交換器と，前記水熱交換器において前記第一の冷媒及び／又は前記第二の冷媒との間で熱交換される水が貯留される貯留タンクと，前記貯留タンクの下層に貯留された水を前記水熱交換器における前記第一の冷媒との間の熱交換によって加熱して前記貯留タンクの上層に還流させるタンク水加熱手段と，を備えてなるヒートポンプ式給湯機に適用されるものであって，前記貯留タンクの下層から前記水熱交換器に流入される水の温度を検出し，その検出された水の温度が所定温度以上であることを条件に，前記貯留タンクの下層に貯留された水を前記水熱交換器における前記第二の冷媒との間の熱交換によって冷却して前記貯留タンクの下層に還流させることを特徴とするヒートポンプ式給湯機として構成される。例えば，前記第一の冷媒は炭酸ガス冷媒であって，前記第二の冷媒はＨＦＣ冷媒である。
本発明によれば，前記貯留タンクの下層から前記水熱交換器に流入される水の温度が前記所定温度（例えば３０℃程度）以上となった場合に，前記貯留タンクの下層に貯留された水が冷却されるため，前記水熱交換器における前記第一の冷媒と水との熱交換効率の低下を防止することができる。なお，前記所定温度は，前記第一の冷媒の特性によって適宜設定すればよい。
ここで，前記貯留タンクの下層から前記水熱交換器に流入される水の温度を検出するタンク水温検出手段は，前記貯留タンク内や前記貯留タンクの下層から前記水熱交換器への水の流入経路上に配設することが考えられる。
【０００６】
また，前記第二の冷媒と室内空気との間で熱交換を行う室内空気熱交換器と，前記第二の冷媒と室外空気との間で熱交換を行う室外空気熱交換器と，前記第二のヒートポンプサイクルにおける前記第二の冷媒の循環経路を切り換える循環方向切換手段と，を更に備える構成，即ち室内空調（冷暖房）の機能を有するヒートポンプ式給湯機では，前記循環方向切換手段を制御して，前記第二の冷媒を，前記圧縮機，前記室内空気熱交換器，前記膨張器，前記水熱交換器の順や，前記圧縮機，前記室外空気熱交換器，前記膨張器，前記水熱交換器の順に循環させることにより，前記水熱交換器における前記第二の冷媒との間の熱交換によって前記貯留タンクの下層から流入される水を冷却することが可能である。
ところで，前記貯留タンクに貯留された水を熱媒体として用いる床暖房などの加熱サイクルを更に備える構成では，該加熱サイクルで放熱した中温水が前記貯留タンク内に還流するため，本発明が好適である。
【発明の効果】
【０００７】
本発明によれば，前記貯留タンクの下層から前記水熱交換器に流入される水の温度を，前記貯留タンク内や前記貯留タンクの下層から前記水熱交換器への水の流入経路上などで検出して，その水の温度が前記所定温度（例えば３０℃程度）以上となった場合に，前記貯留タンクの下層に貯留された水を冷却することにより，前記水熱交換器における前記第一の冷媒と水との熱交換効率の低下を防止することができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るヒートポンプ式給湯機Ｘの概略構成図，図２及び図３は前記ヒートポンプ式給湯機Ｘにおいてタンク水冷却処理が行われる場合の冷媒の流通経路を説明するための図，図４は前記ヒートポンプ式給湯機Ｘの制御部により実行されるタンク水冷却処理の手順の一例を説明するフローチャートである。
まず，本発明の実施の形態に係るヒートポンプ式給湯機Ｘの概略構成及び基本動作について説明する。なお，前記ヒートポンプ式給湯機Ｘは，後述する貯留タンク３１の下層から水熱交換器３２に流入される水の温度が所定温度以上である場合に，該貯留タンク３１の下層の水を予め冷却する点に特徴を有しており，この点については後段において詳説する。
図１に示すように，前記ヒートポンプ式給湯機Ｘは，冷媒が循環される二つのヒートポンプサイクル１（第一のヒートポンプサイクルの一例），２（第二のヒートポンプサイクルの一例），流水経路３０ａ〜３０ｄ，貯留タンク３１，水熱交換器３２，水温センサ８１，８２，循環ポンプ３４，切換弁４１〜４６，及び床暖房サイクル６（加熱サイクルの一例）を備えて概略構成されている。また，前記ヒートポンプ式給湯機Ｘは，ＣＰＵやＲＡＭ，ＲＯＭなどを有する不図示の制御部を備えており，該制御部によって統括的に制御される。なお，本実施の形態では，前記ヒートポンプ式給湯機Ｘにおける冷媒や水の流通経路を切り換える手段として切換弁を用いているがこれに限られるものではなく，例えば逆流防止構造などを施すことで切換弁を省略することが考えられる。
【０００９】
前記水熱交換器３２は，前記ヒートポンプサイクル１及び２に共通しており，前記ヒートポンプサイクル１に接続された配管１４に流れる冷媒や，前記ヒートポンプサイクル２に接続された配管２５に流れる冷媒と，給水口から給湯口への流水経路３０ｂ又は前記貯留タンク３１の下層から該貯留タンクの上層に戻る流水経路３０ａ上に配置された配管３３を流れる水との間で熱交換を行うものである。ここに，前記流水経路３０ａは，前記給水口から前記貯留タンク３１の下層，循環ポンプ３４，切換弁４５，水熱交換器３２，切換弁４３，４６，貯留タンク３１の上層又は下層が順に接続された水の流水経路（実線矢印）である。なお，水熱交換器において冷媒との間で熱交換された水は，前記貯留タンク３１に貯留される。具体的には，前記貯留タンク３１の上層には前記水熱交換器３２で加熱された高温の温水が貯留され，前記貯留タンク３１の下層には前記給水口から供給された低温の水が貯留される。
また，前記流水経路３０ｂは，前記給水口から切換弁４５，水熱交換器３２，切換弁４３，前記給湯口が順に接続された水の流水経路（破線矢印）である。なお，前記流水経路３０ｃは，前記貯留タンク３１の上層から前記切換弁４４を経て前記給湯口に続く温水の流通経路（破線矢印），前記流水経路３０ｄは，前記給水口から前記切換弁４４を経て前記給湯口に続く水の流通経路（破線矢印）である。
【００１０】
前記水温センサ８１は，前記貯留タンク３１から前記水熱交換器３２への流水経路３０ａ上に配設されており，前記水熱交換器３２に流入される水の温度を検出するサーミスタ等を有するタンク水温検出手段の一例である。前記水温センサ８１により検出された水温は，前記制御部に入力されて，後述するタンク水冷却処理（図４のフローチャート参照）において判断指標に用いられる。
また，前記水温センサ８２は，前記貯留タンク３１内において上層から下層に亘って所定間隔毎に設けられた複数の水温センサ８２ａ〜８２ｄを有している。前記水温センサ８２ａ〜８２ｄは，各々の配設位置において水の温度を検出するサーミスタ等である。ここで，前記水温センサ８２ａ，８２ｂは，前記貯留タンク３１の上層に設けられており，該上層の水の温度を検出するものである。また，前記水温センサ８２ｃ，８２ｄは，前記貯留タンク３１の下層に設けられており，該下層の水の温度を検出するものである。ここに，前記水温センサ８２ｃや８２ｄはタンク水温検出手段の一例である。前記水温センサ８２ｃや８２ｄにより検出された水温は，前記制御部に入力されて，後述する（図４のフローチャート参照）において判断指標に用いられる。
なお，本実施の形態では，前記水温センサ８１及び前記水温センサ８２が共に設けられている構成について述べるが，いずれか一方だけが設けられる構成であってもよい。
【００１１】
当該ヒートポンプ式給湯機Ｘでは，前記制御部（不図示）によって前記各構成要素が制御されることにより，前記流水経路３０ｂ上を流れる水を前記水熱交換器３２によって加熱して給湯口から直接給湯する瞬間給湯運転や，前記流水経路３０ａ上を流れる水を前記水熱交換器３２によって加熱して前記貯留タンク３１に貯留する貯湯運転などが行われる。
ここで，前記瞬間給湯運転では，前記切換弁４３及び４５が前記制御部によって制御されることにより，前記給水口から供給された水が前記流水経路３０ｂに沿って破線矢印方向に流通することとなる。但し，前記瞬間給湯運転が開始してからの一定時間は，前記水熱交換器３２による加熱量が十分得られない。そのため，瞬間運転開始後の一定時間は，前記貯留タンク３１に貯留された高温の温水が，前記流水経路３０ｃを経て切換弁４４において，前記給水口から前記流水経路３０ｄを経て供給される水と混合されて温度調節された後，前記給湯口に供給される。これにより，前記給湯口から瞬時に給湯することが可能である。そして，前記水熱交換器３２によって給水口から供給された水を十分に加熱することが可能となった時点で，前記貯留タンク３１の給水は停止され，その後は，前記給水口から前記水熱交換器３２を経て前記給湯口に続く流水経路３０ｂを用いて瞬間給湯が行われる。なお，前記貯留タンク３１に貯留された高温の温水を前記給水口から供給される水と混合することなく，そのまま給湯することも可能である。
一方，前記貯湯運転では，前記制御部によって前記切換弁４３，４５，４６が制御され，前記循環ポンプ３４が駆動されることにより，前記貯留タンク３１の下層に貯留された水が前記流水経路３０ａに沿って実線矢印方向に流通される。このとき，前記切換弁４６は，前記流水経路３０ａ上の水が前記貯留タンク３１の上層に流入するように前記制御部によって制御される。これにより，前記水熱交換器３２において冷媒との熱交換により加熱された高温の温水が前記貯留タンク３１の上層に還流される。ここに，前記貯留タンク３１の下層に貯留された水を前記水熱交換器３２で加熱して該貯留タンク３１に還流させる処理を実行するときの前記制御部がタンク水加熱手段の一例である。なお，前記ヒートポンプ式給湯機Ｘでは，前記貯留タンク３１内の温水が前記床暖房サイクル６において熱媒体として用いられる。
【００１２】
前記床暖房サイクル６は，前記貯留タンク３１の上層，温水熱交換器６２，循環ポンプ６１，前記貯留タンク３１の下層が順に接続された温水経路６ａと，循環ポンプ６３，床暖房装置６４，前記温水熱交換器６２が順に接続されたブライン（不凍液）経路６ｂとを有している。なお，前記床暖房装置６４は，床暖房パネルや輻射パネル，温風機等（不図示）を有する従来周知の床暖房装置であり，ここではその説明を省略する。
前記床暖房サイクル６では，前記制御部によって前記循環ポンプ６１及び前記循環ポンプ６３の駆動が開始されると，前記貯留タンク３１内に貯留された温水が前記温水経路６ａ上に循環され，前記ブライン経路６ｂにブラインが循環される。これにより，前記温水熱交換器６２において温水とブラインとの間で熱交換が行われ，該ブラインが加熱される。即ち，前記床暖房サイクル６では，前記貯留タンク３１に貯留された温水が熱媒体として用いられる。そして，前記温水熱交換器６２で加熱されたブラインは，前記床暖房装置６４に流入して放熱した後，再度前記温水熱交換器６２に流入する。これにより前記床暖房装置６４における床暖房が実現される。
一方，前記温水熱交換器６２で前記ブラインとの熱交換により温度が下げられた温水は，前記貯留タンク３１の下層に還流される。したがって，前記床暖房サイクル６の稼働時，前記貯留タンク３１の下層から前記流水経路３０ａに供給される水には，前記温水熱交換器６２において温度が下げられた温水が含まれる場合がある。
なお，本実施の形態では，前記貯留タンク３１に貯留された水を熱媒体として用いる加熱サイクルとして前記床暖房サイクル６を例に挙げて説明したが，これに限られず，例えばお風呂の追い焚きを行うためのサイクルも加熱サイクルの一例として考えられる。
【００１３】
前記ヒートポンプサイクル１（以下，「ＣＯ2サイクル」という）は，圧縮機１１，前記水熱交換器３２，膨張器１２及び室外空気熱交換器１３が順に接続された循環経路１０を有している。前記循環経路１０では，前記制御部（不図示）によって前記圧縮機１１が駆動されることにより，炭酸ガス冷媒の一例であるＣＯ2冷媒（第一の冷媒の一例）が図示する矢印方向に循環される。
ここに，前記ＣＯ2冷媒は，後述するＲ４１０Ａ冷媒と異なる特性を持ち，冷媒の特性として水を高温（９０℃程度）まで加熱することができる。そのため，前記ＣＯ2サイクル１は，当該ヒートポンプ式給湯機Ｘにおいて主に前記貯湯運転に用いられる。但し，前述したように，前記ＣＯ2冷媒は，１５℃程度の低温の水との熱交換効率が，３０〜５０℃程度の中温水との熱交換効率に比べて高いという特性を有している。
【００１４】
前記ＣＯ2サイクル１では，前記圧縮機１１において圧縮して吐出された高温高圧の前記ＣＯ2冷媒が，前記水熱交換器３２において前記流水経路３０ａまたは３０ｂ上を流れる水と熱交換されて冷却された後，前記膨張器１２において膨張する。その後，前記膨張器１２で膨張した低温低圧の前記ＣＯ2冷媒は，前記室外空気熱交換器１３において室外の空気と熱交換されて吸熱し気化した後，再度前記圧縮機１１に流入する。
前記ＣＯ2サイクル１では，前記のように前記ＣＯ2冷媒が前記循環経路１０に循環されることにより，前記流水経路３０ａまたは３０ｂ上を矢印方向に流れる水が，前記水熱交換器３２における前記ＣＯ2冷媒との熱交換によって９０℃程度まで加熱される。なお，前記水熱交換器３２における前記ＣＯ2冷媒と水との流通方向が反対であるため，該ＣＯ2冷媒と水との熱交換は効率的に行われる。
これにより，前記貯湯運転においては，前記流水経路３０ａを通るよう前記制御部（不図示）によって前記切換弁４５が制御され，前記制御部（不図示）によって前記切換弁４３が制御されることにより前記水熱交換器３２において加熱された温水が前記貯留タンク３１に貯留される。また，前記瞬間給湯運転においては，前記流水経路３０ｂを通るよう前記制御部（不図示）によって前記切換弁４５が制御され，前記制御部（不図示）によって前記切換弁４３が制御されることにより前記水熱交換器３２において加熱された温水が前記給湯口に供給される。
【００１５】
一方，前記ヒートポンプサイクル２（以下，「Ｒ４１０Ａサイクル」という）は，ＨＦＣ冷媒の一例であるＲ４１０Ａ冷媒（第二の冷媒の一例）が循環される循環経路２０（第一の循環経路の一例）及び循環経路４０（第二の循環経路の一例）を有している。ここに，前記Ｒ４１０Ａ冷媒は，前記ＣＯ2冷媒と異なる特性を持ち，ＣＯ2冷媒に比べて水を低温（６５℃程度）までしか加熱することができないが，エネルギ消費効率（ＣＯＰ）は高いので，比較的低い沸上げ温度に適している。そのため，前記Ｒ４１０Ａサイクル２は，当該ヒートポンプサイクルＸにおいて主に前記瞬間給湯運転に用いられる。また，前記Ｒ４１０Ａ冷媒は，３０〜５０℃程度の中温水を加熱する際の熱交換効率が前記ＣＯ2冷媒に比べて良いという特性を有している。なお，前記Ｒ４１０Ａ冷媒の他の例としては，例えばＲ４０７Ｃ／Ｅ，Ｒ４０４Ａ，Ｒ５０７Ａ，Ｒ１３４ａ等がある。また，前記ヒートポンプ式給湯機Ｘに用いられる二つの異なる冷媒は，炭酸ガス冷媒及びＨＦＣ冷媒に限られるものではなく，熱交換効率やエネルギ消費効率などの特性が異なる二つの冷媒を用いればよい。
【００１６】
前記循環経路２０は，圧縮機２１，四方弁２４，切換弁４１，水熱交換器３２，切換弁４２，膨張器（例えば膨張弁）２２，室外空気熱交換器２３及び前記四方弁２４が順に接続されて構成されている。前記室外空気熱交換器２３は，前記Ｒ４１０Ａ冷媒と室外空気との間で熱交換を行うものである。また，前記四方弁２４，前記切換弁４１及び前記切換弁４２は，前記Ｒ４１０Ａサイクル２における前記Ｒ４１０Ａ冷媒の循環経路の切り換えに用いられ，冷媒循環経路切換手段に相当する。
前記循環経路２０では，前記制御部（不図示）によって制御されて前記圧縮機２１が駆動されることにより，前記Ｒ４１０Ａ冷媒が図示する実線矢印方向に循環される。具体的には，前記圧縮機２１において圧縮して吐出された高温高圧の前記Ｒ４１０Ａ冷媒が，前記四方弁２４及び前記切換弁４１を経て前記水熱交換器３２に達する。そして，前記Ｒ４１０Ａ冷媒は，前記水熱交換器３２において前記流水経路３０ａまたは３０ｂ上を流れる水と熱交換されて冷却される。その後，前記Ｒ４１０Ａ冷媒は，前記切換弁４２を経て前記膨張器２２において膨張される。そして，前記膨張器２２で膨張した低温低圧の前記Ｒ４１０Ａ冷媒は，前記室外空気熱交換器２３において室外空気と熱交換されて吸熱し気化した後，前記四方弁２４を経て再度前記圧縮機２１に流入する。
前記Ｒ４１０Ａサイクル２では，前記のように前記Ｒ４１０Ａ冷媒が前記循環経路２０において実線矢印方向に循環されることにより，前記流水経路３０ａまたは３０ｂ上を矢印方向に流れる水が，前記水熱交換器３２における前記Ｒ４１０Ａ冷媒との熱交換によって６５℃程度まで加熱される。なお，前記水熱交換器３２における前記Ｒ４１０Ａ冷媒と水との流通方向が反対であるため，該Ｒ４１０Ａ冷媒と水との熱交換は効率的に行われる。
【００１７】
また，前記水熱交換器３２は，前記ＣＯ2サイクル１及び前記Ｒ４１０Ａサイクル２に共通するものであり，これらに循環される前記ＣＯ2冷媒及び前記Ｒ４１０Ａ冷媒と，前記流水経路３０ａ又は前記流水経路３０ｂ上を流れる水とを同時に熱交換させることが可能である。具体的には，前記水熱交換器３２が，該水熱交換器３２内に設けられた前記ＣＯ2冷媒の配管１４と前記流水経路３０ａ，３０ｂ上の前記配管３３，前記Ｒ４１０Ａ冷媒の配管２５と前記流水経路３０ａ，３０ｂ上の前記配管３３が共に接触するように構成することが考えられる。なお，前記水熱交換器３２は前記構成に限られない。
このように構成された前記ヒートポンプ式給湯機Ｘでは，前記ＣＯ2サイクル１及び前記Ｒ４１０Ａサイクル２を同時に稼働して用いることにより，個々の熱交換効率以上の熱交換効率で水を加熱することができる。これにより，前記瞬間給湯運転時における給湯量を増加させることが可能である。
【００１８】
他方，前記循環経路４０は，圧縮機２１，四方弁２４，切換弁４１，室内空気熱交換器４，切換弁４２，膨張器２２，室外空気熱交換器２３及び四方弁２４が順に接続されて構成されている。
ここに，前記室内空気熱交換器４は，室内の冷暖房を行う空気調和機（不図示）に設けられ，前記循環経路４０内に循環される前記Ｒ４１０Ａ冷媒と室内空気との間で熱交換を行うことにより室内空気を加熱或いは冷却するものである。
【００１９】
ここで，前記ヒートポンプ式給湯機Ｘの前記Ｒ４１０Ａサイクル２において実現される暖房運転及び冷房運転について説明する。
（１）暖房運転について
ユーザにより前記ヒートポンプ式給湯機Ｘに対して，不図示の操作部から暖房運転の開始が要求されると，該ヒートポンプ式給湯機Ｘでは，前記制御部（不図示）によって前記圧縮機２１及び前記四方弁２４が制御され，前記Ｒ４１０Ａサイクル２の循環経路４０において前記Ｒ４１０Ａ冷媒の実線矢印方向の循環が開始される。このとき，前記四方弁２４内部では図示する実線経路が確立されている。
これにより，前記循環経路４０では，図示する実線矢印方向に前記Ｒ４１０Ａ冷媒が循環される。具体的には，前記圧縮機２１において圧縮して吐出された高温高圧の前記Ｒ４１０Ａ冷媒が，前記四方弁２４及び前記切換弁４１を経て前記室内空気熱交換器４に達する。そして，前記Ｒ４１０Ａ冷媒は，前記室内空気熱交換器４において室内空気と熱交換されて冷却される。その後，前記Ｒ４１０Ａ冷媒は，前記切換弁４２を経て前記膨張器２２において膨張される。そして，前記膨張器２２において膨張した低温低圧の前記Ｒ４１０Ａ冷媒は，前記室外空気熱交換器２３において室外の空気と熱交換されて吸熱し気化した後，前記四方弁２４を経て再度前記圧縮機２１に流入する。
前記Ｒ４１０Ａサイクル２では，前記のように前記Ｒ４１０Ａ冷媒が前記循環経路４０において実線矢印方向に循環されることにより，室内空気が，前記室内空気熱交換器４における前記Ｒ４１０Ａ冷媒との熱交換によって加熱される。即ち，前記ヒートポンプ式給湯機Ｘによって暖房が実現される。
【００２０】
また，前記Ｒ４１０Ａサイクル２において前記Ｒ４１０Ａ冷媒を前記循環経路２０及び４０に分配して瞬間給湯と暖房とを同時に行うことも考えられる。但し，この場合には十分な給湯温度や給湯量が得ることができないことがある。しかし，前記ヒートポンプ式給湯機Ｘでは，瞬間給湯と暖房とを同時に行う際，前記水熱交換器３２において，前記ＣＯ2サイクル１に循環する前記ＣＯ2冷媒と，前記Ｒ４１０Ａサイクル２に循環するＲ４１０Ａ冷媒とで同時に水を加熱することが可能である。これにより，瞬間給湯と暖房とを同時に行う際に，十分な給湯温度や給湯量を得ることができる。
例えば，前記ヒートポンプ式給湯機Ｘにおいて前記Ｒ４１０Ａサイクル２によって暖房運転が行われているときに，ユーザによって不図示の操作部に対して瞬間給湯の要求が行われると，該ヒートポンプ式給湯機Ｘでは，前記切換弁４１，４２が前記制御部（不図示）によって制御され，前記Ｒ４１０Ａサイクル２において前記循環経路２０及び４０に分配して前記Ｒ４１０Ａ冷媒が循環される。そして，このとき同時に前記制御部（不図示）によって前記ＣＯ2サイクル１の圧縮機１１の駆動が制御されて，前記ＣＯ2サイクル１における前記ＣＯ2冷媒の循環が開始される。
これにより，前記水熱交換器３２では，前記Ｒ４１０Ａ冷媒及び前記ＣＯ2冷媒の両方との熱交換によって水が加熱されることとなる。即ち，前記Ｒ４１０Ａサイクル１における瞬間給湯と暖房の同時運転時の水の加熱能力の低下は，前記ＣＯ2サイクル１を循環する前記ＣＯ2冷媒との熱交換によって補われる。したがって，前記Ｒ４１０Ａサイクル２において瞬間給湯と暖房とを同時に行う際に，十分な給湯温度や給湯量を得ることができる。
【００２１】
（２）冷房運転について
一方，ユーザにより前記ヒートポンプ式給湯機Ｘに対して，不図示の操作部から冷房運転の開始が要求されると，該ヒートポンプ式給湯機Ｘでは，前記制御部（不図示）によって前記圧縮機２１及び前記四方弁２４が制御され，前記Ｒ４１０Ａサイクル２の循環経路４０において前記Ｒ４１０Ａ冷媒の破線矢印方向の循環が開始される。このとき，前記四方弁２４内部では図示する破線経路が確立されている。
これにより，前記循環経路４０では，図示する破線矢印方向に前記Ｒ４１０Ａ冷媒が循環される。具体的には，前記圧縮機２１において圧縮して吐出された高温高圧の前記Ｒ４１０Ａ冷媒が，前記四方弁２４を経て前記室外空気熱交換器２３に達する。そして，前記Ｒ４１０Ａ冷媒は，前記室外空気熱交換器２３において室外空気と熱交換されて冷却される。その後，前記Ｒ４１０Ａ冷媒は，前記膨張器２２において膨張される。そして，前記膨張器２２において膨張した低温低圧の前記Ｒ４１０Ａ冷媒は，前記切換弁４２を経て前記室内空気熱交換器４において室内空気と熱交換されて吸熱し気化した後，前記切換弁４１及び前記四方弁２４を経て再度前記圧縮機２１に流入する。
前記Ｒ４１０Ａサイクル２では，前記のように前記Ｒ４１０Ａ冷媒が前記循環経路４０において破線矢印方向に循環されることにより，室内の空気が，前記室内空気熱交換器４における前記Ｒ４１０Ａ冷媒との熱交換によって冷却される。即ち，前記ヒートポンプ式給湯機Ｘによって冷房が実現される。
以上説明したように，前記ヒートポンプ式給湯機Ｘでは，前記制御部によって前記ＣＯ2サイクル１や前記Ｒ４１０Ａサイクル２が制御されることにより，前記瞬間給湯運転や前記貯湯運転，前記冷暖房運転が行われる。
【００２２】
ところで，前述したように，前記ＣＯ2サイクル１に循環される前記ＣＯ2冷媒は，１５℃程度の低温の水との熱交換効率に比べて，３０〜５０℃程度の中温水との熱交換効率が低いという特性を有する。そのため，前記ＣＯ2サイクル１を用いて水を加熱するときに，その水の温度が３０〜５０℃程度である場合には，１５℃程度の水を加熱する場合に比べて当該ヒートポンプ式給湯機Ｘのエネルギ消費効率が低下するという問題が生じる。
特に，前記ヒートポンプ式給湯機Ｘのように，前記貯留タンク３１に貯留された高温の温水を熱媒体として用いる床暖房サイクル６を有する構成では，該床暖房サイクル６から前記貯留タンク３１に還流された３０〜５０℃程度の中温水が前記水熱交換器３２に流入される可能性が高い。
そこで，本発明の実施の形態に係る前記ヒートポンプ式給湯機Ｘでは，前記制御部により後述するタンク水冷却処理（図４のフローチャート参照）が実行されることによって，前記貯留タンク３１の下層から前記水熱交換器３２に流入される水の温度が高い場合に，前記貯留タンク３１の下層に貯留された水が冷却されて該貯留タンク３１の下層に還流されるように処理される。ここに，かかる処理を実行するときの前記制御部がタンク水冷却手段に相当する。
【００２３】
以下，図１〜３を参照しつつ，図４のフローチャートに従って，本発明の実施の形態に係る前記ヒートポンプ式給湯機Ｘにおいて前記制御部により実行されるタンク水冷却処理の手順の一例について説明する。ここに，図中のＳ１，Ｓ２，…は処理手順（ステップ）番号を示している。
なお，当該タンク水冷却処理は，前記ヒートポンプ式給湯機Ｘの稼働中に常時，或いは所定時間毎に実行される。
まず，ステップＳ１では，前記水温センサ８１又は前記水温センサ８２ｄによって検出された水温（以下「検出水温」という），即ち前記貯留タンク３１の下層から前記水熱交換器３２へ流入される水の温度が，３０℃（所定温度の一例）以上であるか否かが前記制御部によって判断される。当該ステップＳ１の処理では，前記水熱交換器３２における前記ＣＯ2冷媒と水との熱交換効率，即ち当該ヒートポンプ式給湯機Ｘにおけるエネルギ消費効率が低下する状態であるか否かが判断される。なお，前記ステップＳ１では，前記検出水温が３０℃以上であるか否かを判断しているが，この温度は冷媒の種別などによって適宜変更して設定すればよい。
また，前記ステップＳ１における判断指標としては，前記水温センサ８１及び前記水温センサ８２ｄのいずれか一方又は両方による検出水温を用いれば良い。また，前記のように前記水温センサ８２に複数の水温センサ８２ａ〜８２ｄが設けられている場合には，これらのうちの複数の水温センサによる検出水温を判断指標に用いてもかまわない。例えば，前記ステップＳ１において前記水温センサ８２ｃ，８２ｄによる検出水温の平均値が３０℃以上であるか否かを判断することが考えられる。
【００２４】
前記ステップＳ１において前記検出水温が３０℃以上でないと判断された場合（Ｓ１のＮｏ側），即ち前記貯留タンク３１の下層から前記水熱交換器３２に流入される水が３０℃未満の低温であって，該水熱交換器３２における前記ＣＯ2冷媒と水との熱交換効率が良い状態にある場合には，前記ステップＳ１の判断処理が繰り返し実行される。
一方，前記床暖房サイクル６が稼働されている場合など，前記貯留タンク３１の下層に３０℃以上の中温水が貯留される場合には，前記検出水温が３０℃以上であると判断された場合（Ｓ１のＹｅｓ側），即ち前記貯留タンク３１の下層から前記水熱交換器３２に流入される水が３０℃以上であって，前記ＣＯ2冷媒と水との熱交換効率が悪い状態にある場合には，処理は後述するステップＳ２に移行する。
【００２５】
ステップＳ２では，前記Ｒ４１０Ａサイクル２において暖房運転が行われているか否かが前記制御部によって判断される。ここで，暖房運転が行われていると判断された場合（Ｓ２のＹｅｓ側）には，前記Ｒ４１０Ａサイクル２においてＲ４１０Ａ冷媒が図１の実線矢印方向に循環されており，該Ｒ４１０Ａ冷媒の循環経路を切り換えることができないため，処理はステップＳ１に戻る。即ち，前記Ｒ４１０Ａサイクル２において暖房運転が実行されている場合には，前記検出水温が３０℃以上であっても，前記貯留タンク３１から前記水熱交換器３２に流入される水は冷却されない。なお，前記Ｒ４１０Ａサイクル２において暖房運転が実行されている場合に該暖房運転を停止してから後述のステップＳ３に移行することが他の実施例として考えられる。
【００２６】
一方，前記ステップＳ２において暖房運転が行われていないと判断された場合（Ｓ２のＮｏ側）には，処理はステップＳ３に移行する。
前記ステップＳ３では，前記ＣＯ2サイクル１が稼働中であるか否か，即ち前記ＣＯ2冷媒による水の加熱が行われているか否かが前記制御部によって判断される。
ここで，前記ＣＯ2サイクル１が稼働中であると判断された場合（Ｓ３のＹｅｓ側），処理はステップＳ４に移行する。
【００２７】
ステップＳ４では，前記制御部によって前記ＣＯ2サイクル１の稼働が停止された後，処理はステップＳ５に移行する。具体的には，前記圧縮機２１の駆動が停止される。なお，前記ＣＯ2サイクル１の稼働は，例えば後述するステップＳ１０の実行後に再開される。
これは，前記貯留タンク３１からの水を加熱する場合には該貯留タンク３１の上層に還流させ，後述するように前記貯留タンク３１の下層の水を冷却する場合には該貯留タンク３１の下層に還流させる必要があるため，これらの処理を同時に実行することができないためである。但し，前記ＣＯ2サイクル１及び前記Ｒ４１０Ａサイクル２各々が，前記貯留タンク３１から供給される水との間で熱交換を行う熱交換器と，該熱交換器から前記貯留タンク３１の上層又は下層に続く流水経路とを有する構成では，各々が独立して動作可能であるため前記ＣＯ2サイクル１の稼働を停止しなくてもかまわない。
【００２８】
一方，前記ＣＯ2サイクル１が稼働中でないと判断された場合（Ｓ３のＮｏ側），処理は前記ステップＳ５に移行する。
ステップＳ５では，前記Ｒ４１０Ａサイクル２において冷房運転が実行中であるか否かが前記制御部によって判断される。ここで，冷房運転が実行中ではないと判断された場合（Ｓ５のＮｏ側）には，処理はステップＳ６１に移行し，冷房運転が実行中であると判断された場合（Ｓ５のＹｅｓ側）には，処理はステップＳ６２に移行する。
まず，図２を用いて前記ステップＳ５において前記冷房運転が実行中ではないと判断された場合に実行されるステップＳ６１について説明する。
前記ステップＳ６１では，前記制御部によって，前記Ｒ４１０Ａサイクル２が稼働されると共に，前記四方弁２４，前記切換弁４１及び前記切換弁４２が制御されて前記Ｒ４１０Ａサイクル２における前記Ｒ４１０Ａ冷媒の循環経路が切り換えられることにより，前記水熱交換器３２に前記Ｒ４１０Ａ冷媒が流入される。具体的には，前記Ｒ４１０Ａサイクルでは，図２に実線矢印で示すように，前記Ｒ４１０Ａ冷媒が，前記圧縮機２１，前記四方弁２４，前記室外空気熱交換器２３，前記膨張器２２，前記切換弁４２，前記水熱交換器３２，前記切換弁４１，前記四方弁２４，前記圧縮機２１の順に循環される。
これにより，前記Ｒ４１０Ａサイクル２では，前記室外空気熱交換器２３において室外空気と熱交換されて冷却され，前記膨張器２２において膨張された低温低圧の前記Ｒ４１０Ａ冷媒が，前記水熱交換器３２に流入されることになる。
【００２９】
次に，図３を用いて前記ステップＳ５において前記冷房運転が実行中であると判断された場合に実行されるステップＳ６２について説明する。
この場合，前記Ｒ４１０Ａサイクル２は，既に稼働されており，該Ｒ４１０Ａサイクルでは，図３に実線矢印で示すように，前記Ｒ４１０Ａ冷媒が，前記圧縮機２１，前記四方弁２４，前記室外空気熱交換器２３，前記膨張器２２，前記切換弁４２，前記室内空気熱交換器４，切換弁４１，前記四方弁２４，前記圧縮機２１の順に循環されている。
前記ステップＳ６２では，前記制御部によって前記切換弁４１，４２が制御されることにより，前記Ｒ４１０Ａサイクル２における前記Ｒ４１０Ａ冷媒の循環経路が切り換えられ，前記水熱交換器３２への分配が開始される。具体的には，前記Ｒ４１０Ａサイクル２では，図３に実線及び破線矢印で示すように，前記圧縮機２１，前記四方弁２４，前記室外空気熱交換器２３，前記膨張器２２，前記切換弁４２を順に経て流通された前記Ｒ４１０Ａ冷媒が，前記室内空気熱交換器４及び前記水熱交換器３２に分配された後，前記切換弁４１で合流され，前記四方弁２４を経て前記圧縮機２１に還流される。
これにより，前記Ｒ４１０Ａサイクル２では，前記室外空気熱交換器２３において室外空気と熱交換されて冷却され，前記膨張器２２において膨張された低温低圧の前記Ｒ４１０Ａ冷媒が，前記室内空気熱交換器４及び前記水熱交換器３２に流入される。即ち，この場合には，冷房運転と前記貯留タンク３１の水の冷却とが同時に行われる。
【００３０】
その後，前記ステップＳ６１又は前記ステップＳ６２に続くステップＳ７では，前記流水経路３０ａ上において前記水熱交換器３２から吐出された水が前記貯留タンク３１の下層へ流入するように前記切換弁４６が前記制御部によって制御され，処理はステップＳ８に移行する。なお，前記水熱交換器３２において水を加熱して前記貯留タンク３１に還流させる場合には，前記切換弁４６は，前記水熱交換器３２から吐出された水が前記貯留タンク３１の上層へ流入するように前記制御部によって制御される。
【００３１】
そして，ステップＳ８では，前記制御部によって前記循環ポンプ３４が駆動されることにより，前記貯留タンク３１の下層に貯留された水が前記流水経路３０ａ上で循環される。具体的に前記貯留タンク３１の下層の水は，図２及び図３に実線矢印で示すように，前記貯留タンク３１の下層から前記水熱交換器３２に流入され，該水熱交換器３２において低温低圧の前記Ｒ４１０Ａ冷媒との間の熱交換により冷却された後，前記切換弁４１，４３，４６を経て前記貯留タンク３１の下層に還流される。これにより，前記貯留タンク３１の下層に貯留されている水は，例えば２０℃程度まで冷却される。
【００３２】
次に，ステップＳ９では，前記水温センサ８１や前記水温センサ８２ｄによる検出水温が２０℃以下になったか否かが前記制御部によって判断される。当該ステップＳ９の処理では，前記水熱交換器３２における前記ＣＯ2冷媒と水との熱交換効率，即ち当該ヒートポンプ式給湯機Ｘにおけるエネルギ消費効率が悪い状態が解消されたか否かが判断される。なお，前記ステップＳ９では，前記検出水温が２０℃以下であるか否かを判断しているが，この温度は冷媒の種別などによって適宜変更して設定すればよい。
ここで，前記検出水温が２０℃以下ではないと判断された場合（Ｓ９のＮｏ側），即ち前記貯留タンク３１の下層から前記水熱交換器３２に流入される水が２０℃よりも高く，該水熱交換器３２における前記ＣＯ2冷媒と水との熱交換効率が悪い状態が解消されていない場合には，前記ステップＳ９の判断処理が繰り返し実行され，前記貯留タンク３１の下層の水の冷却処理が継続される。
【００３３】
一方，前記貯留タンク３１の下層の水が十分に冷却されて前記検出水温が２０℃以下になったと判断された場合（Ｓ９のＹｅｓ側），即ち前記貯留タンク３１の下層から前記水熱交換器３２に流入される水が２０℃以下であって，該水熱交換器３２における前記ＣＯ2冷媒と水との熱交換効率が悪い状態が解消された場合には，処理はステップＳ１０に移行する。
前記ステップＳ１０では，前記制御部によって前記Ｒ４１０Ａサイクル２が制御されることにより，前記水熱交換器３２への前記Ｒ４１０Ａ冷媒の循環が停止される。具体的には，冷房運転の実行中には前記切換弁４１，４２が制御されることにより前記水熱交換器３２への冷媒の分配が終了され，冷房運転が実行中でない場合には前記Ｒ４１０Ａサイクル２の稼働が停止（圧縮機２１が停止）される。
【００３４】
このように，前記ヒートポンプ式給湯機Ｘでは，前記制御部によって前記タンク水冷却処理（図４のフローチャート参照）が実行されることにより，前記貯留タンク３１の下層から前記水熱交換器３２へ流入される水の温度が高くなった場合には，そのことを条件に前記貯留タンク３１の下層に貯留された水が前記水熱交換器３２における前記Ｒ４１０Ａ冷媒との間の熱交換によって冷却され，該貯留タンク３１の下層に還流される。
したがって，前記ヒートポンプ式給湯機Ｘでは，前記ＣＯ2サイクル１を用いて前記貯湯運転や前記瞬間給湯運転などが実行される場合，前記水熱交換器３２では事前に２０℃以下まで冷却された水と前記ＣＯ2冷媒との間で熱交換が行われるため，該水熱交換器３２における熱交換効率が良く，ひいては当該ヒートポンプ式給湯機Ｘのエネルギ消費効率の低下を防止することができる。
【実施例】
【００３５】
ここに，図５は本発明の実施例に係るヒートポンプ式給湯機Ｘ１の概略構成図，図６及び図７は前記ヒートポンプ式給湯機Ｘ１においてタンク水冷却処理が行われる場合の冷媒の流通経路を説明するための図，図８は前記ヒートポンプ式給湯機Ｘ１の制御部により実行されるタンク水冷却処理の手順の一例を説明するフローチャートである。なお，前記実施の形態で説明した前記ヒートポンプ式給湯機Ｘと同様の構成要素，同様の処理手順（ステップ）については，同じ符号を付してその説明を省略する。
図５に示すように，前記ヒートポンプ式給湯機Ｘ１は，前記ヒートポンプ式給湯機ＸのＲ４１０Ａサイクル２に換えてＲ４１０Ａサイクル５を有している。前記Ｒ４１０Ａサイクル５には，前記制御部（不図示）によって制御される切換弁５１〜５６，二つの膨張器２２ａ及び２２ｂが設けられている。なお，本実施例では，前記ヒートポンプ式給湯機Ｘ１における冷媒や水の流通経路を切り換える手段として切換弁を用いているがこれに限られるものではなく，例えば逆流防止構造などを施すことで切換弁を省略することが考えられる。
このように構成された前記ヒートポンプ式給湯機Ｘ１では，前記Ｒ４１０Ａサイクル５において，暖房と瞬間給湯の同時運転，冷房と瞬間給湯の同時運転が可能である。
【００３６】
（１）暖房と瞬間給湯との同時運転について
暖房と瞬間給湯との同時運転時，前記Ｒ４１０Ａサイクル５では，前記制御部（不図示）によって前記圧縮機２１，前記四方弁２４及び前記切換弁５１〜５６が制御されることにより，前記Ｒ４１０Ａ冷媒が図５に示す実線矢印方向に循環される。
具体的には，前記循環経路２０では，前記Ｒ４１０Ａ冷媒が，圧縮機２１，四方弁２４，切換弁５１，切換弁５２，水熱交換器３２，膨張器２２ａ，切換弁５３，切換弁５４，室外空気熱交換器２３，切換弁５６，四方弁２４，圧縮機２１の順に循環される。これにより，前記水熱交換器３２において前記流水経路３０ａまたは３０ｂ上を流れる水が加熱される。
一方，前記循環経路４０では，前記Ｒ４１０Ａ冷媒は，圧縮機２１，四方弁２４，切換弁５１，室内空気熱交換器４，切換弁５５，膨張器２２ｂ，切換弁５４，室外空気熱交換器２３，切換弁５６，四方弁２４，圧縮機２１の順に循環される。これにより，前記室内空気熱交換器４において室内空気が加熱されて暖房が行われる。
【００３７】
（２）冷房と瞬間給湯の同時運転について
冷房と瞬間給湯との同時運転時，前記Ｒ４１０Ａサイクル５では，前記制御部（不図示）によって前記圧縮機２１，前記四方弁２４及び前記切換弁５１〜５６が制御されることにより，前記Ｒ４１０Ａ冷媒が図５に示す破線矢印方向に循環される。
具体的には，前記循環経路２０では，前記Ｒ４１０Ａ冷媒が，圧縮機２１，四方弁２４，切換弁５６，切換弁５２，水熱交換器３２，膨張器２２ａ，切換弁５３，切換弁５５，室内空気熱交換器４，切換弁５１，四方弁２４，圧縮機２１の順に循環される。これにより，前記水熱交換器３２において前記流水経路３０ａまたは３０ｂ上を流れる水が加熱される。
一方，前記循環経路４０では，前記Ｒ４１０Ａ冷媒は，圧縮機２１，四方弁２４，切換弁５６，室外空気熱交換器２３，切換弁５４，膨張器２２ｂ，切換弁５５，室内空気熱交換器４，切換弁５１，四方弁２４，圧縮機２１の順に循環される。これにより，前記室内空気熱交換器４において室内空気が冷却されて冷房が行われる。
【００３８】
ところで，前記ヒートポンプ式給湯機Ｘ１では，前記Ｒ４１０Ａサイクル２（図１参照）において暖房運転が行われている場合には前記貯留タンク３１の下層の水を冷却することができなかった。
しかしながら，本実施例に係る前記ヒートポンプ式給湯機Ｘ１は，前記Ｒ４１０Ａサイクル５において暖房運転が行われている場合でも前記貯留タンク３１の下層の水を冷却することができる
以下，図６及び図７を参照しつつ，図８のフローチャートに従って，前記ヒートポンプ式給湯機Ｘ１において前記制御部によって実行されるタンク水冷却処理の手順の一例について説明する。なお，前記実施の形態で説明したタンク水冷却処理（図４のフローチャート参照）と同様の処理手順については，同じ符号を付してその説明を省略する。
当該タンク水冷却処理では，前記ステップＳ４に続いて実行されるステップＳ４１において暖房運転が行われているか否かが判断される。ここで，暖房運転が行われていないと判断された場合（Ｓ４１のＮｏ側）には，処理は前記ステップＳ５に移行し，暖房運転が行われていると判断された場合（Ｓ４１のＹｅｓ側）には，処理はステップＳ４２に移行する。
【００３９】
前記ステップＳ４１において暖房運転が行われていると判断された場合，前記ヒートポンプ式給湯機Ｘ１では，前記Ｒ４１０Ａサイクル２が既に稼働されている。具体的には，前記Ｒ４１０Ａサイクルでは，図６に実線矢印で示すように，前記Ｒ４１０Ａ冷媒が，前記圧縮機２１，前記四方弁２４，前記切換弁５１，前記室内空気熱交換器４，前記切換弁５５，前記膨張器２２ｂ，前記切換弁５４，前記室外空気熱交換器２３，前記切換弁５６，前記四方弁２４，前記圧縮機２１の順に循環されている。
前記ステップＳ４２では，前記制御部によって前記切換弁５２，前記切換弁５３，前記切換弁５５及び前記切換弁５６が制御されることにより，前記Ｒ４１０Ａサイクル２における前記Ｒ４１０Ａ冷媒の循環経路が切り換えられる。このとき，前記制御部によって制御されることにより前記Ｒ４１０Ａサイクル５における前記Ｒ４１０Ａ冷媒の循環経路を切り換えるときの前記切換弁５２，前記切換弁５３，前記切換弁５５及び前記切換弁５６が冷媒経路切換手段に相当する。
【００４０】
具体的には，前記Ｒ４１０Ａサイクル２において，図７に実線矢印で示すように，前記Ｒ４１０Ａ冷媒が，前記圧縮機２１，前記四方弁２４，前記切換弁５１，前記室内空気熱交換器４，前記切換弁５５，前記切換弁５３，前記膨張器２２ａ，前記水熱交換器３２，前記切換弁５２，前記切換弁５６，前記四方弁２４，前記圧縮機２１の順に循環されるように，前記Ｒ４１０Ａ冷媒の循環経路が形成される。
これにより，前記Ｒ４１０Ａサイクル２では，前記室内空気熱交換器４において室内空気と熱交換されて冷却され，前記膨張器２２ａにおいて膨張された低温低圧の前記Ｒ４１０Ａ冷媒が，前記水熱交換器３２に流入されることになる。したがって，前記ステップ８において前記循環ポンプ３４が駆動されると，図７に実線矢印で示すように前記貯留タンク３１の下層から前記水熱交換器３２に流入される水は，該水熱交換器３２において低温低圧の前記Ｒ４１０Ａ冷媒との熱交換によって冷却された後，前記貯留タンク３１の下層に還流されることになる。
このように，前記ヒートポンプ式給湯機Ｘ１では，暖房運転及び前記貯留タンク３１の下層に貯留された水の冷却を同時に行うことができる。なお，前記実施の形態で説明したように冷房運転と前記貯留タンク３１の下層に貯留された水の冷却も同時に行うことができることはいうまでもない。
【図面の簡単な説明】
【００４１】
【図１】本発明の実施の形態に係るヒートポンプ式給湯機の概略構成図。
【図２】本発明の実施の形態に係るヒートポンプ式給湯機において実行されるタンク水冷却処理における冷媒の流通経路を説明するための図。
【図３】本発明の実施の形態に係るヒートポンプ式給湯機において実行されるタンク水冷却処理における冷媒の流通経路を説明するための図。
【図４】本発明の実施の形態に係るヒートポンプ式給湯機において実行されるタンク水冷却処理の手順の一例を説明するフローチャート。
【図５】本発明の実施例に係るヒートポンプ式給湯機の概略構成図。
【図６】本発明の実施例に係るヒートポンプ式給湯機において実行されるタンク水冷却処理における冷媒の流通経路を説明するための図。
【図７】本発明の実施例に係るヒートポンプ式給湯機において実行されるタンク水冷却処理における冷媒の流通経路を説明するための図。
【図８】本発明の実施例に係るヒートポンプ式給湯機において実行されるタンク水冷却処理の手順の一例を説明するフローチャート。
【符号の説明】
【００４２】
１…ヒートポンプサイクル（第一のヒートポンプサイクルの一例）
２…ヒートポンプサイクル（第二のヒートポンプサイクルの一例）
４…室内空気熱交換器
６…床暖房サイクル（加熱サイクルの一例）
１１，２１…圧縮機
１２，２２，２２ａ，２２ｂ…膨張器
１３，２３…室外空気熱交換器
１４，２５，３３…配管
２０…循環経路
４０…循環経路
２４…四方弁（循環経路切換手段の一例）
３０ａ〜３０ｄ…流水経路
３１…貯留タンク
４１〜４６，５１〜５６…切換弁
Ｓ１，Ｓ２，，，…処理手順（ステップ）番号
【図１】
2007232288.tif 000003
【図２】
2007232288.tif 000004
【図３】
2007232288.tif 000005
【図４】
2007232288.tif 000006
【図５】
2007232288.tif 000007
【図６】
2007232288.tif 000008
【図７】
2007232288.tif 000009
【図８】
2007232288.tif 000010